(57)【要約】【課題】エリアを予め登録することで、エリア内では特定のサービスまたは安価な通話料金で通話が可能を受けられる携帯電話システムを提供する。【解決手段】電話端末の位置情報を携帯電話交換機に接続される位置情報管理装置で管理し、特定サービスを受けるエリアを予め登録しておく。電話端末が登録エリア内にいるのか登録エリア外にいるのかを位置情報管理装置で認識することで、電話端末および電話端末使用者に特定サービスを提供する。【選択図】図１
2009033232.tif 000002
【特許請求の範囲】
【請求項１】
複数の携帯電話基地局と、この携帯電話基地局と接続された携帯電話交換機と、この携帯電話交換機と接続された位置情報管理装置とから構成された携帯電話システムであって、
前記携帯電話基地局は、接続された携帯電話端末の位置情報を前記携帯電話交換機を介して前記位置情報管理装置に送信し、
前記位置情報管理装置は、受信した前記携帯電話端末の前記位置情報と前記携帯電話端末に予め設定された登録エリア情報とを比較判定し、前記携帯電話端末が登録エリアに存在すると判定したとき、前記携帯電話交換機に前記携帯電話機端末に対する低料金サービス指示を送信することを特徴とする携帯電話システム。
【請求項２】
請求項１に記載の携帯電話システムであって、
前記携帯電話交換機は、前記位置情報管理装置から、第１の携帯電話端末と第２の携帯電話端末とについて、同じ前記登録エリアについての前記低料金サービス指示を受信したとき、前記第１の携帯電話端末と第２の携帯電話端末との間の通信時間に依存する通信料金を無償とすることを特徴とする携帯電話システム。
【請求項３】
請求項１に記載の携帯電話システムであって、
前記携帯電話交換機は、さらに携帯電話網とサービス装置とに接続され、この携帯電話網を介して、前記低料金サービス指示を受信していない携帯電話端末宛の着呼があったとき、
前記サービス装置は、前記携帯端末の位置情報に関する音声メッセージを発呼端末宛に送信することを特徴とする携帯電話システム。
【請求項４】
複数の携帯電話基地局と、この携帯電話基地局と接続された携帯電話交換機と、この携帯電話交換機と接続された位置情報管理装置とサービス装置とから構成された携帯電話システムであって、
前記携帯電話基地局は、接続された携帯電話端末の位置情報を前記携帯電話交換機を介して前記位置情報管理装置に送信し、
前記位置情報管理装置は、受信した前記携帯電話端末の前記位置情報と予め設定された設定エリア情報とを比較判定し、前記携帯電話端末が設定エリアに存在すると判定したとき、前記サービス装置は、前記携帯電話端末に音声案内を送信することを特徴とする携帯電話システム。
【発明の詳細な説明】
【技術分野】
【０００１】
本発明は、携帯電話システムに係り、携帯電話端末の位置情報を管理する携帯電話システムに関する。
【背景技術】
【０００２】
現在、コードレス電話の親機を介して固定電話網に接続する電話端末と携帯電話網に接続される携帯電話端末とを融合するサービス（以下ＦＭＣ：Fixed Mobile Convergenceと称す）の提供が検討されている。ＦＭＣでは、屋外で電話端末を使用する場合、電話端末は携帯電話基地局を経由し携帯電話交換機に接続されて携帯電話端末として使用でき、固定電話網に収容されるコードレス電話の親機からの電波が届く宅内エリアにおいては同端末はコードレス電話の子機として固定電話網に接続され固定電話として使用できる。このような形態をとることによって、一台の端末を宅内にいる時には通話料金が安価な固定電話端末として使用し、屋外にいる時には通常の携帯電話端末として使用することが可能となる。
【０００３】
特許文献１の図１には、ＦＭＣが記載されている。特許文献１の図１において、携帯電話２は携帯電話基地局３を経由して携帯電話交換機１に接続され、携帯電話２の位置情報は、携帯電話交換機１に接続される位置情報データベース７によって管理されている。また、加入者電話交換機５には、コードレス電話親機４が収容されていて、コードレス電話の子機はコードレス電話親機４を経由して固定電話交換機に接続される。
【０００４】
屋外にある携帯電話２は、携帯電話基地局３を経由して携帯電話交換機１に接続されて携帯電話として使用できる。また、移動してサービスエリアに入った携帯電話２は、コードレス電話親機４を経由して加入者電話交換機５に接続されて固定電話として使用される。
このように、ＦＭＣによれば、屋外で電話端末を使用する場合には通常の携帯電話として使用でき、宅内で電話端末を使用する場合には固定電話として使用できる。
【０００５】
【特許文献１】特開平８−０３７６８１号公報
【発明の開示】
【発明が解決しようとする課題】
【０００６】
しかしながら、上記従来技術は、通話料金が安価な固定電話端末として使用できるという特定サービスを受けられるエリアはコードレス電話の親機からの電波が届くエリアに限られている。このため、宅内にコードレス電話の親機の設置が必要で、特定サービスを受けられるエリアは固定されていてを容易にエリアを変更することができない。
【０００７】
本発明は、エリアを予め登録することで、エリア内では特定のサービスまたは安価な通話料金で通話が可能を受けられる携帯電話システムを提供する。
【課題を解決するための手段】
【０００８】
上述した課題は、複数の携帯電話基地局と、この携帯電話基地局と接続された携帯電話交換機と、この携帯電話交換機と接続された位置情報管理装置とから構成され、携帯電話基地局は、接続された携帯電話端末の位置情報を携帯電話交換機を介して位置情報管理装置に送信し、位置情報管理装置は、受信した携帯電話端末の位置情報と携帯電話端末に予め設定された登録エリア情報とを比較判定し、携帯電話端末が登録エリアに存在すると判定したとき、携帯電話交換機に携帯電話機端末に対する低料金サービス指示を送信する携帯電話システムにより、達成される。
【０００９】
複数の携帯電話基地局と、この携帯電話基地局と接続された携帯電話交換機と、この携帯電話交換機と接続された位置情報管理装置とサービス装置とから構成され、携帯電話基地局は、接続された携帯電話端末の位置情報を携帯電話交換機を介して位置情報管理装置に送信し、位置情報管理装置は、受信した携帯電話端末の位置情報と予め設定された設定エリア情報とを比較判定し、携帯電話端末が設定エリアに存在すると判定したとき、サービス装置は、携帯電話端末に音声案内を送信する携帯電話システムにより、達成される。
【発明の効果】
【００１０】
エリアを予め登録し、電話端末がエリア内にいるのかエリア外にいるのかを携帯電話交換機に接続された位置情報管理装置で認識して、電話端末の位置によって提供するサービスを変更することができる。
【発明を実施するための最良の形態】
【００１１】
以下本発明の実施の形態について、実施例を用い図面を参照しながら説明する。なお、実質同一部位には同じ参照番号を振り、説明は繰り返さない。
【実施例１】
【００１２】
実施例１を図１と図２を参照して説明する。ここで、図１はネットワークの構成を説明するブロック図である。図２は携帯電話端末と携帯電話基地局と携帯電話交換機と位置情報管理装置との間のシーケンス図である。
【００１３】
図１において、携帯電話交換機１０１は、携帯電話網２００に接続され、携帯電話基地局１０３または１０４を介して携帯電話端末１０５と通信することで携帯電話端末１０５の位置情報の収集を行う。携帯電話交換機１０１は、また、携帯電話網２００と携帯電話端末１０５との呼接続を制御する。携帯電話交換機１０１に接続された位置情報管理装置１０２は、携帯電話端末１０５の位置情報を管理する。位置情報管理装置１０２は、また、携帯電話使用者が予め登録した特定サービスを受けたいエリア情報を管理する。
【００１４】
携帯電話端末の位置情報は、基地局１０３または１０４を経由して携帯電話交換機１０１に接続される位置情報管理装置１０２に通知される。位置情報管理装置１０２は、携帯電話端末１０５が予め登録したエリア内にいるのか、登録したエリア外にいるのかを監視する。図１においては、予め登録したエリア内にいる場合の携帯電話端末を１０５ｂとして記載し、エリア外にいる場合の携帯電話端末を１０５ａとして記載している。
【００１５】
予め登録したエリア外で携帯電話端末１０５ａを使用する場合、携帯電話端末１０５ａは、携帯電話基地局１０３または１０４を経由して携帯電話交換機１０１に接続され、通常の携帯電話端末として使用される。携帯電話端末１０５ａの使用者が移動し、予め登録した特定サービスを受ける登録エリア３００に入った場合、携帯電話端末１０５ｂの位置情報は携帯電話基地局１０３または１０４を経由して携帯電話交換機１０１に通知される。携帯電話交換機１０１に接続された位置情報管理装置１０２は、携帯電話端末１０５ｂが予め登録された登録エリア３００内にいることを認識し、携帯電話交換機１０１に対し電話端末１０５ｂが登録エリア３００内にいることを通知する。この通知を受けた携帯電話交換機１０１は、予め登録されたサービスの提供を開始する。また、更に携帯電話端末１０５ｂの使用者が移動し、予め登録したエリアから出た場合には、同様に位置情報管理装置１０２で携帯電話端末１０５がエリア外に移動したことを認識し、携帯電話交換機１０１に対し電話端末がエリア外にいることを通知する。この通知を受けた携帯電話交換機１０１は、予め登録されたサービスの提供を停止する。
【００１６】
予め登録したエリア内で受ける特定サービスの一例として、安価な通話料金で課金するサービスが挙げられる。このサービスは、携帯電話交換機１０１が有する課金機能を利用する。エリア内では安価な通話料金形態とすることで、エリア内に携帯電話端末のユーザを誘導できる。このようなサービスは、スーパーなどの店舗、テーマパークのオーナーが、サービスの一環として店舗またはパーク内を登録エリアとして登録し、店舗およびパークを訪れた人々に低料金の通話料金で通話ができる契約をすることで、低料金での通話サービスを提供することができる。なお、通信業者はサービスの提供者から、差額を回収できる。また、店舗ではＰＯＳ端末の設置により、購入者の情報は取得できるものの、非購入者の来店情報は、取得できない。これに対して、上述したサービスは、店舗内で電話をかけた携帯電話端末のユーザの登録情報を処理することによって、来店者の統計情報をも得ることができる。
【００１７】
このように、予め特定サービスを受けたいエリアを登録し、携帯電話端末の位置情報を携帯電話交換機１０１に接続される位置情報管理装置１０２で監視し、携帯電話端末の位置情報によって提供するサービスを変更することで、携帯電話端末の位置によって異なるサービスを提供することができる。
【００１８】
図２を参照して、携帯電話端末と携帯電話基地局と携帯電話交換機と位置情報管理装置との間のシーケンスを説明する。なお、携帯電話端末は、エリア２９０からエリア３２０まで移動するが、エリア３００をサービス提供エリアとして説明する。図２において、携帯電話端末１０５は、定期的に位置情報を携帯電話基地局１０３または１０４に送信する。具体的には、携帯電話端末１０５は、携帯電話基地局１０３／１０４に現在のエリアであるエリア２９０情報を搭載した位置情報を送信する（Ｓ２０１）。位置情報を受信した携帯電話基地局１０３／１０４は、携帯電話端末１０５の位置情報であるエリア２９０情報を搭載した位置情報を携帯電話交換機１０１に送信する（Ｓ２０２）。位置情報を受信した携帯電話交換機１０１は、携帯電話端末１０５の位置情報であるエリア２９０情報を搭載した位置情報を位置情報管理装置１０２送信する（Ｓ２０３）。位置情報管理装置１０２は、携帯電話端末１０５の位置情報であるエリア２９０情報を判定し（Ｓ２０４）、登録エリア外を継続しているので何もしない。ステップ２０６からステップ２０９は、携帯電話端末１０５の存在位置がエリア２９５となった以外、ステップ２０１からステップ２０４と同じなので、説明は省略する。
【００１９】
携帯電話端末１０５は、エリア３００に移動し、携帯電話基地局１０３／１０４に現在のエリアであるエリア３００情報を搭載した位置情報を送信する（Ｓ２１１）。位置情報を受信した携帯電話基地局１０３／１０４は、携帯電話端末１０５の位置情報であるエリア３００情報を搭載した位置情報を携帯電話交換機１０１に送信する（Ｓ２１２）。位置情報を受信した携帯電話交換機１０１は、携帯電話端末１０５の位置情報であるエリア３００情報を搭載した位置情報を位置情報管理装置１０２送信する（Ｓ２１３）。位置情報管理装置１０２は、携帯電話端末１０５の位置情報であるエリア３００情報を判定し（Ｓ２１４）、登録エリア内に入っているので、携帯電話交換機１０１に、低料金サービス指示を送信する（Ｓ２１５）。ステップ２１６からステップ２１９は、ステップ２１１からステップ２１４と同じであり、説明は省略する。しかし、ステップ２１４の判定結果は、登録エリア内を維持しているので、位置情報管理装置１０２は、何もしない。
【００２０】
携帯電話端末１０５は、エリア３１０に移動し、携帯電話基地局１０３／１０４に現在のエリアであるエリア３１０情報を搭載した位置情報を送信する（Ｓ２２１）。位置情報を受信した携帯電話基地局１０３／１０４は、携帯電話端末１０５の位置情報であるエリア３１０情報を搭載した位置情報を携帯電話交換機１０１に送信する（Ｓ２２２）。位置情報を受信した携帯電話交換機１０１は、携帯電話端末１０５の位置情報であるエリア３１０情報を搭載した位置情報を位置情報管理装置１０２送信する（Ｓ２２３）。位置情報管理装置１０２は、携帯電話端末１０５の位置情報であるエリア３１０情報を判定し（Ｓ２２４）、登録エリア内から外に出ているので、携帯電話交換機１０１に、通常料金サービス指示を送信する（Ｓ２２５）。ステップ２２６からステップ２２９は、ステップ２２１からステップ２２４と同じであり、説明は省略する。
【００２１】
なお、ここでは携帯電話端末１０５自身がＧＰＳ機能により、自端末の位置情報を保持していると説明した。しかし、携帯電話端末１０５を収容する携帯電話基地局１０３／１０４自身の位置情報を、携帯電話端末１０５の位置情報としても良い。さらに、少なくとも３台の携帯電話基地局の受信電波強度から、携帯電話端末１０５の位置情報を求めても良い。
【００２２】
また、特定サービスを受けたいエリアを複数個登録することを許容すれば、携帯電話端末の使用者は複数のエリアで通話料金が安価な低料金のサービスを受けることが可能となる。
【００２３】
さらに、図２のステップ２１５は、「料金分割指示」とすることもできる。このとき、携帯電話交換機１０１は、携帯電話端末１０５の時間割課金を、携帯電話端末１０５のユーザ宛てと、登録エリア３００の管理者宛てとに分割する。
【実施例２】
【００２４】
実施例２について、図３を参照して説明する。ここで、図３はネットワークの構成を説明するブロック図である。図３において、実施例１との差分は、携帯電話交換機１０１にサービス装置１０６を接続した点である。サービス装置１０６は、位置情報管理装置１０２から携帯電話端末の位置情報を入手し、位置情報を元に携帯電話端末および携帯電話端末へ発着信する電話端末に対して発着信の制御や各種サービスを提供するために携帯電話交換機１０１へ発着信制御の指示や音声ガイダンスの送出等の指示を行う。
【００２５】
携帯電話端末が特定サービスを受けたいエリアとして予め登録されたエリア内にいる場合、サービス装置１０６は、携帯電話端末１０５ｂに対し市外局番として０６０番を割り当てる。一方、登録エリア外にいる場合、サービス装置１０６は、携帯電話端末１０５ａに対し市外局番として０９０番を割り当てる。
【００２６】
携帯電話端末が特定サービスを受けたいエリアとして予め登録したエリア内にいる場合、位置情報管理装置１０２はサービス装置１０６へ携帯電話端末が登録エリア内にいることを通知する。この通知を受信したサービス装置１０６は、携帯電話交換機１０１に対して携帯電話端末へは市外局番が０６０番で着信があった場合のみ着信を許可するよう指示する。また、携帯電話端末が予め登録した特定サービスを受けたいエリアとして登録されたエリア外の場合、位置情報管理装置１０２はサービス装置１０６へ携帯電話端末が登録エリア外のことを通知する。この通知を受信したサービス装置１０６は、携帯電話交換機１０１に対して携帯電話端末へは市外局番が０９０番で着信があった場合のみ着信を許可するよう指示する。
【００２７】
予め登録したエリア内では低料金の通話料金を受けられるサービスを登録している場合、このような制御を行うことで、携帯電話端末へ発信しようとしている発信者も携帯電話端末が契約している料金形態を意識して発信することが可能となる。
【００２８】
上述した実施例では、登録エリア内か否かで市外局番の割付けを変更したが、変更しない場合でも、携帯電話端末へ呼接続しようとしている電話端末に対して、携帯電話端末が低料金形態で通話できないエリア外にいるのかを通知することは、できる。具体的には、携帯電話端末が低料金形態で通話できるエリア内のとき、そのまま接続する。一方、携帯電話端末が低料金形態で通話できるエリア外のとき、サービス装置１０６は、携帯電話交換機１０１を制御して、一旦発信側の電話端末へ音声ガイダンスで通知させたあと、接続する。これによって、携帯電話端末へ発信しようとしている電話端末に対して、携帯電話端末が契約している料金形態を通知することが可能となる。
【００２９】
携帯電話端末１０５が予め登録した特定サービスの登録エリアを跨って移動した場合、位置情報管理装置１０２は、サービス装置１０６へエリア外へ出たことを通知する。この通知を受信したサービス装置１０６は、携帯電話交換機１０１に対し、携帯電話端末１０５および携帯電話端末と通話中の電話端末に対して登録エリアを跨って移動したために特定サービスを停止または開始することを音声ガイダンスなどを使用して通知するよう指示する。このように携帯電話端末の位置が変わりサービス形態が変更となることを携帯電話端末および携帯電話端末と通話中の電話端末に通知することで、発信者および着信者に対しても現在提供されているサービスを認識させることが可能となる。
【００３０】
さらに、位置情報管理装置１０２は、サービス装置１０６に対し、特定サービスを受けられるように予め登録したエリア内にいるのか、エリア外にいるのかの位置情報を通知する。この通知を受信したサービス装置１０６は、携帯電話交換機１０１を制御して、現在の位置が登録エリア内か否かを携帯電話端末に表示させる。この結果、携帯電話端末の使用者は、常に現在受けられるサービス形態を認識することが可能である。
【実施例３】
【００３１】
図４を参照して、実施例３を説明する。ここで、図４はネットワークの構成を説明するブロック図である。図４において、設定エリア３００Ａは、実施例１、２の登録エリア３００より、狭い領域である。設定エリア３００Ａまたはその近傍には、音源１０７が配置され、図４の場合、携帯電話端末１０５ｂが設定エリア３００Ａに入っている。なお、設定エリア３００Ａは、登録エリアと異なり、携帯電話端末ごとに登録する必要はなく、サービス提供者が設定し、位置情報管理装置１０２に登録する。
【００３２】
携帯電話基地局１０４と接続する無線送受信部を有する音源１０７から送出された音声ガイダンスは、携帯電話基地局１０４および携帯電話交換機１０１を経由してサービス装置１０６Ａに送出される。設定エリア３００Ａ内にある端末１０５ｂは、音源１０７から送出された音声ガイダンスをサービス装置１０６Ａの制御によって聞くことができる。
【００３３】
本実施例に拠れば、動物園のライオンの檻の付近ではライオンに関する音声ガイダンスを聞くことができ、別の檻の付近ではその檻にいる動物のガイダンスを聞くことができる。また、スーパーなどの店舗内では、売り場によって異なる特売情報や各種案内を提供することができる。
【実施例４】
【００３４】
図５を参照して、実施例４を説明する。ここで、図５はネットワークの構成を説明するブロック図である。図５において、登録エリア３００には、携帯電話端末１０５ｂと、携帯電話１０８ｂとが存在する。携帯電話端末１０５ｂと、携帯電話１０８ｂとは、共に登録エリア３００に登録された携帯電話端末であり、位置情報管理装置１０２は、携帯電話端末１０５ｂと携帯電話１０８ｂとの位置情報を管理し、携帯電話交換機１０１Ａに対し電話端末１０５ｂと携帯電話１０８ｂが登録エリア３００内にいることを通知する。
【００３５】
ここで、携帯電話端末１０５ｂから、携帯電話端末１０８ｂあてに発信したとしよう。携帯電話交換機１０１Ａは、この発呼が登録エリア内の内線電話であると判定し、予め定めた料金で課金する。実際には、固定費用を毎月支払うことによって、通話時間に依存する内線通話料を、無償とする。
本実施例に拠れば、携帯電話を用いて、文字通り内線通話をすることができる。
【図面の簡単な説明】
【００３６】
【図１】ネットワークの構成を説明するブロック図である。
【図２】携帯電話端末と携帯電話基地局と携帯電話交換機と位置情報管理装置との間のシーケンス図である。
【図３】ネットワークの構成を説明するブロック図である。
【図４】ネットワークの構成を説明するブロック図である。
【図５】ネットワークの構成を説明するブロック図である。
【符号の説明】
【００３７】
１０１…携帯電話交換機、１０２…位置情報管理装置、１０３…携帯電話基地局、１０４…携帯電話基地局（サービス提供局）、１０５…携帯電話端末、１０６…サービス装置、１０７…音源、１０８…携帯電話端末、２００…携帯電話網、３００…登録エリア、３１０…設定エリア。
【図１】
2009033232.tif 000003
【図２】
2009033232.tif 000004
【図３】
2009033232.tif 000005
【図４】
2009033232.tif 000006
【図５】
2009033232.tif 000007